(57)【特許請求の範囲】
【請求項１】
割溝が形成された金属製の釣用重りを収納するための釣用重り収納ケースであって、
内部に収納空間を有し、開閉可能なケース本体と、
一端が前記ケース本体に設けられ、前記収納空間に収納される収納姿勢と前記収納姿勢より起き上がった取出姿勢とを取り得、前記割溝で前記釣用重りを係止可能な１又は複数の重り保持部と、
前記ケース本体が閉まったとき、その閉状態を保持する閉保持手段と、
を備えた釣用重り収納ケース。
【請求項２】
前記ケース本体は、前記重り保持部の一端が装着された第１容器体と、前記第１容器体に開閉自在に設けられ前記第１容器体との間に前記収納空間を形成可能な第２容器体とを有する、請求項１に記載の釣用重り収納ケース。
【請求項３】
前記２つの容器体は一体形成された合成樹脂製である、請求項２に記載の釣用重り収納ケース。
【請求項４】
前記２つの容器体は、それぞれ実質的に同じ外形を有する、請求項３に記載の釣用重り収納ケース。
【請求項５】
前記ケース本体は、開口と前記開口に連通して内部に形成された前記収納空間とを有し、前記重り保持部の一端が装着された容器体と、前記容器体の開口を覆うように前記容器体に開閉自在に装着された蓋部材とを有する、請求項１に記載の釣用重り収納ケース。
【請求項６】
前記重り保持部は、前記ケース本体に前記一端が揺動自在に装着されかつ前記取出姿勢で保持される、請求項１から５のいずれかに記載の釣用重り収納ケース。
【請求項７】
前記重り保持部は、前記ケース本体に前記一端が揺動自在に装着されており、
前記重り保持部を前記取出姿勢側に付勢する付勢手段をさらに備え、
前記ケース本体が閉まると前記ケース本体に当接して前記収納姿勢に押圧される、請求項１から５のいずれかに記載の釣用重り収納ケース。
【請求項８】
前記重り保持部は、弾性を有する軟質合成樹脂製であり、前記収納姿勢で前記一端が前記ケース本体に固定されている、請求項１から５のいずれかに記載の釣用重り収納ケース。
【請求項９】
前記重り保持部は、弾性を有する軟質合成樹脂製であり、前記取出姿勢で前記一端が前記ケース本体に固定され、
前記ケース本体が閉まると前記ケース本体に当接して前記収納姿勢に押圧される、請求項１から５のいずれかに記載の釣用重り収納ケース。
【請求項１０】
前記重り保持部とケース本体とは一体形成された軟質合成樹脂製である、請求項８又は９に記載の釣用重りの収納ケース。
【発明の詳細な説明】
【０００１】
【発明の属する技術分野】
本発明は、ケース、特に、割溝が形成された金属製球状の釣用重りを収納するための釣用重り収納ケースに関する。
【０００２】
【従来の技術】
釣りを行う場合、仕掛けの沈み具合や流れ具合等を調整するため等に釣り糸の途中に係止可能なかみつぶしやガン玉と呼ばれる鉛製の比較的小型の釣用重りがしばしば使用される。この種の釣用重りは、釣り糸に係止するための割溝が形成されており、割溝で釣り糸を挟んだ状態でペンチなどの工具を利用してつぶしたり、歯で噛んでつぶしたりして釣り糸に固定して使用される。
【０００３】
この種の釣用重りを釣りに使用する場合には、いろいろな形や重さのものが必要になり、釣り人は多くの種類の釣用重りを小型の重りケースに入れて常時携帯している。従来の重りケースは、一般に、重りを収納するための１又は複数の収納空間を有する容器本体と、容器本体に開閉自在に装着された蓋部材とを有している。重りは収納空間のいずれかに載置された状態で収納されている。重りケースは面ファスナーやピンオンリール等で釣り人の服やベルトに装着されている。釣り人は、たとえば、一方の手で釣り糸を持って他方の手で蓋部材をあけて収納空間から所望の重りを取り出して釣り糸に固定している。
【０００４】
【発明が解決しようとする課題】
前記従来の構成では、重りを収納空間に載置した状態で収納しているだけであるので、蓋部材をあけたときに重りがこぼれてしまうことがある。このため、収納した重りを確実に取り出す動作を行いにくい。また、収納空間内で重りがバラバラになるので、複数種類の重りを１つの収納空間に収納すると、所望の重りをすばやくに取り出しにくい。このように、前記従来の構成では、内部に収納した重りの取出操作を行いにくい。
本発明の課題は、収納した重りの取出操作を行いやすい釣用重り収納ケースを提供することにある。
【０００５】
【課題を解決するための手段】
発明１に係る釣用重り収納ケースは、割溝が形成された金属製の釣用重りを収納するためのケースであって、ケース本体と、１又は複数の重り保持部と、閉保持手段とを有している。ケース本体は、内部に収納空間を有し、開閉可能なものである。重り保持部は、一端がケース本体に設けられ、収納空間に収納される収納姿勢と収納姿勢より起き上がった取出姿勢とを取り得、割溝で釣用重りを係止可能なものである。閉保持手段は、ケース本体が閉まったとき、その閉状態を保持する手段である。
【０００６】
この釣用重り収納ケースでは、重りを装着する際には、閉保持手段を解除してケース本体をあけて重り保持部を取出姿勢にする。取出姿勢にすると重り保持部の他端が移動して収納姿勢より起き上がり、重りを装着しやすくなる。この収納姿勢で割溝で棒状の重り保持部を挟んで釣用重りを軽くつぶす。これにより釣用重りが重り保持部に係止される。そして、取出姿勢から収納姿勢にし、ケース本体を閉めて閉保持手段でケース本体の閉状態を保持する。これによりコンパクトに重りをケース内に収納できる。重りを取り出すときには、閉保持手段を解除してケース本体をあけて収納姿勢から取出姿勢にする。そして、重り保持部の長手方向又は長手方向と直交する方向に重りを引っ張ると簡単に重りを重り保持部から取り出すことができる。ここでは、重りを取り出すときに重り保持部を収納姿勢から取出姿勢にできるので、収納した重りを取り出しやすくなる。また、割溝を利用して重り保持部に重りが確実に保持されるので、ケース本体をあけても収納した重りがこぼれることがなく重りをさらに取り出すしやすい。しかも、重り保持部を複数設ければ、同じ種類の重りを同じ重り保持部に保持させることができ、所望の重りをすばやく取り出しやすい。このため、重りの取出操作を行いやすくなる。
【０００７】
発明２に係る釣用重り収納ケースは、発明１に記載のケースにおいて、ケース本体は、重り保持部の一端が装着された第１容器体と、第１容器体に開閉自在に設けられ第１容器体との間に収納空間を形成可能な第２容器体とを有する。この場合には、ケース本体が２つの容器体で構成されるので、内部に大きな収納空間が得られ、重り以外の釣用小物を収納することができる。たとえば、第１容器体の収納空間の重り保持部に重りを装着し、第２容器体の収納空間に磁石シートなどを利用して釣り針等の磁性体を収納可能になる。
【０００８】
発明３に係る釣用重り収納ケースは、発明２に記載のケースおいて、２つの容器体は一体形成された合成樹脂製である。この場合には、両容器体が一体成形されているので、両容器体を組み立てる必要がなくなり、ケースの製造コストを低減できる。
発明４に係る釣用重り収納ケースは、発明２又は３に記載のケースにおいて、２つの容器体は、それぞれ実質的に同じ外形を有する。この場合には、２つの容器体が実質的に同じ外形であるので、ケースをあけたときに、２つの容器体が並べて配置されケースが安定する。
【０００９】
発明５に係る釣用重り収納ケースは、発明１に記載のケースにおいて、ケース本体は、開口と開口に連通して内部に形成された収納空間とを有し、重り保持部の一端が装着された容器体と、容器体の開口を覆うように容器体に開閉自在に装着された蓋部材とを有する。この場合には、蓋部材と容器体とが別の部材であるので、たとえば蓋部材を透明にして中の重りが外から見えるようにすることができる。
【００１０】
発明６に係る釣用重り収納ケースは、発明１から５のいずれかに記載のケースにおいて、重り保持部は、ケース本体に一端が揺動自在に装着されかつ取出姿勢で保持される。この場合には、取出姿勢に揺動させるとその姿勢が保持されるので、重りの着脱操作が容易になる。
発明７に係る釣用重り収納ケースは、発明１から５のいずれかに記載のケースにおいて、重り保持部はケース本体に一端が揺動自在に装着されており、重り保持部を取出姿勢に付勢する付勢手段をさらに備え、ケース本体が閉まるとケース本体に当接して収納姿勢に押圧される。この場合には、ケース本体を閉めて閉保持手段により閉状態に保持すると、重り保持部はケース本体に当接して収納姿勢に押圧され、開けると付勢手段の付勢力により取出姿勢に戻る。このため、取出時に確実に取出姿勢にすることができ、重りの着脱操作がさらに容易になる。
【００１１】
発明８に係る釣用重り収納ケースは、発明１から５のいずれかに記載のケースにおいて、重り保持部は弾性を有する軟質合成樹脂製であり、収納姿勢で一端がケース本体に固定されている。この場合には、ケース本体を開けて重り保持部の他端を取出姿勢に手で引っ張り出して重り保持部に対して重りを取り付け又は取り出した後、重り保持部から手を離せば弾性により重り保持部は取出姿勢に戻る。このため、重りの取付・取出時に自動的に収納姿勢にすることができる。
【００１２】
発明９に係る釣用重り収納ケースは、発明１から５のいずれかに記載のケースにおいて、重り保持部は弾性を有する軟質合成樹脂製であり、取出姿勢で一端がケース本体に固定され、ケース本体が閉まるとケース本体に当接して収納姿勢に押圧される。この場合には、ケース本体を閉めて閉保持手段により閉状態に保持すると、重り保持部はケース本体に当接して収納姿勢に押圧され、開けると弾性力により取出姿勢に戻る。このため、簡単な構成で重りの取付・取出時に自動的に取出姿勢にすることができる。
【００１３】
発明１０に係る釣用重り収納ケースは、発明８又は９に記載のケースにおいて、重り保持部とケース本体とは一体形成された軟質合成樹脂製である。この場合には、すべての構成要素を一体形成可能になるので、重り保持部の弾性を維持して製造が容易になりコストを低く維持できる。
【００１４】
【発明の実施の形態】
〔実施形態１〕
図１及び図２において、本発明の一実施形態による重り収納ケース１０は、かみつぶしやガン玉などの割溝２０（図３）を有する釣用の重りＷを収納可能なケースである。重り収納ケース１０は、内部に収納空間を有し開閉可能なケース本体１１と、ケース本体１１に収納姿勢と収納姿勢から起き上がった取出姿勢とをとり得る重り保持部１２と、ケース本体１１を閉状態に保持する保持部材１３とを備えている。ケース本体１１は、一側で連結された２つの容器体２１，２２を有している。
【００１５】
容器体２１，２２は、一体成形された、たとえば塩化ビニル（ＰＶＣ）等の軟質の弾性を有する合成樹脂製の平面視卵形の筺体であり、実質的に同じ外形を有している。容器体２１，２２の対向部分は開口しており、開口に連通してそれぞれに空間が形成されている。図２（ｂ）に示すように、閉状態のときにこれらの空間がひとつの収納空間２５になる。両容器体２１，２２の間には、折れ曲がり自在な薄肉の連結部２３が一体形成されている。
【００１６】
容器体２１の連結部部分に対向する内側面には、重り保持部１２が一体形成されている。容器体２１の外側底面には、この重り収納ケース１０を釣り人の衣服などに装着するための面ファスナーからなる装着部材３０が設けられている。面ファスナーは、フック部とフック部に係止されるフック受け部とで構成されている。面ファスナーの一方を装着部材３０として容器体２１に固定し、他方を衣服に縫い付けるなどして固定すれば、重り収納ケース１０を衣服に着脱自在に装着可能である。容器体２１，２２の連結部分と対向する外側面には、舌状に突出する把手２６ａ，２６ｂが形成されている。なお、把手２６ａは把手２６ｂより長さが僅かに短い。
【００１７】
重り保持部１２は、複数（例えば３つ）設けられている。重り保持部１２は、ケース本体１１と一体成形された弾性を有する湾曲自在な軟質合成樹脂製である。各重り保持部１２は根元が連結されており、一端が容器体２１の内側面から連結部２３方向に延びる板状の部材である。それぞれの重り保持部１２は、図２（ａ）に実線で示す収納姿勢と２点鎖線で示す他端が起き上がった取出姿勢とに湾曲自在である。重り保持部１２は、図３に示すように、断面が扁平倒立Ｔ字形の板状の細長い部材であり、対向する両辺１２ｃが重りＷの割溝２０によって挟まれるような厚みを有している。また、中央部１２ｂが補強のためのリブになっている。この中央部１２ｂの高さは、取出姿勢に湾曲しやすくするために低くなっている。
【００１８】
保持部材１３は、フック部１３ａとフック部１３ａに係止されるフック受け部１３ｂとを有する一般的な面ファスナーで構成されている。このうち、たとえばフック部１３ａが容器体２２の把手２６ｂに接着などの適宜の固定手段により固定され、フック受け部１３ｂが容器体２１の把手２６ａに接着などの適宜の固定手段により固定されている。このような保持部材１３は、両容器体２１，２２が図２（ａ）に示すように閉状態になったとき、ケース本体１１が開かないように両容器体２１，２２を固着する。
【００１９】
このよう構成された重り収納ケース１０では、釣りに出かける前にガン玉などの重りＷを重り収納ケース１０内に収納する。重りを収納する際には、容器体２２の把手２６ｂをつまんで開ける。そして、重り保持部１２を指で引っ張って図２（ａ）に示す取出姿勢にする。取出姿勢にした状態で重りＷを割溝２０で重り保持部１２を挟むように装着し、指で重りＷを軽くつぶす。これにより，重りＷが重り保持部１２に保持される。ここで、重りＷを重り保持部１２に装着するときには、できるだけ種類の同じものを同じ重り保持部１２に装着する。これにより、取出時に所望の重りをすばやく取り出しやすくなる。
【００２０】
重りＷの装着が終了すると、取出姿勢に引っ張った重り保持部１２から手を離す。すると自身の弾性により収納姿勢に戻る。そして、容器体２２を容器体２１上に配置して重り収納ケース１０を閉める。容器体２２を容器体２１上に配置すると、保持部材１３により閉状態が保持される。このようにして収納された重りＷは重り保持部１２に保持されるので、バラバラになりにくい。このため、重りＷの取出が容易になる。
【００２１】
重り収納ケース１０を使用するときには、釣用ベストなどの服に重り収納ケース１０を装着部材３０により装着する。重りＷを取り出す際には、容器体２２の把手２６ｂを片手でつまんで開ける。そして、所望の重りＷを片手で引っ張り、重り保持部１２を図１に示す取出姿勢にし、重りＷを重り保持部１２のたとえば長手方向又はそれと交差する方向に片手で引き抜く。すると重りＷは、重り保持部１２から外れる。これにより、所望の重りをすばやく取り出すことができる。取り出した重りＷは釣り糸に装着される。このとき、片手で重りＷの取出操作を行えるので、残った手で釣り糸をつかみながら釣り糸に重りを簡単に装着できる。重りＷの釣り糸への装着が終わって重りを引き出すと重り保持部１２は自身の弾性で収納状態に戻る。そして、重りＷの装着が終わると、容器体２２の把手２６ｂをつまんで重り収納ケース１０を閉じる。
【００２２】
ここでは、割溝２０を有する重りＷを割溝２０で重り保持部１２を挟み込むことにより重り保持部１２に保持しているので、収納状態で重りＷがバラバラになりにくい。このため、重り収納ケース１０を開けても重りＷがこぼれることがなく、重りＷを取り出しやすい。また、複数の重り保持部１２を設けているので、複数種類の重りＷを整理して収納できる。このため、所望の重りＷをすばやく取り出しやすい。
【００２３】
〔実施形態２〕
図４及び図５において、本発明の実施形態２による重り収納ケース１０は、かみつぶしやガン玉などの割溝２０（図６）を有する釣用の重りＷを収納可能なケースである。重り収納ケース１０は、内部に収納空間を有し開閉可能なケース本体１１と、ケース本体１１に揺動自在に装着された重り保持部１２と、ケース本体１１を閉状態に保持する保持部材１３とを備えている。ケース本体１１は、一側で連結された２つの容器体２１，２２を有しており、重り保持部１２は、容器体２１に揺動自在に装着されている。
【００２４】
容器体２１，２２は、一体成形された合成樹脂製の矩形の筺体であり、実質的に同じ外形を有している。容器体２１，２２の対向部分は開口しており、開口に連通してそれぞれに空間が形成されている。図５（ａ）に示すように、閉状態のときにこれらの空間がひとつの収納空間２５になる。両容器体２１，２２の間には、折れ曲がり自在な薄肉の連結部２３が一体形成されている。
【００２５】
容器体２１の連結部部分に対向する内側面には、重り保持部１２を揺動自在に支持するための、揺動支持部２７が形成されている。揺動支持部２７には揺動軸２８が内側面に沿って配置されている。また、容器体２１の開口には開口縁に沿って突起部２１ａが形成されている。容器体２１の外側底面には、この重り収納ケース１０を釣り人の衣服などに装着するための面ファスナーからなる装着部材３０が設けられている。面ファスナーは、フック部とフック部に係止されるフック受け部とで構成されている。面ファスナーの一方を装着部材３０として容器体２１に固定し、他方を衣服に縫い付けるなどして固定すれば、重り収納ケース１０を衣服に着脱自在に装着可能である。
【００２６】
容器体２２の開口には、開口縁に沿って突起部２１ａに係合する凹部２２ａが形成されている。容器体２２の連結部分と対向する外側面には、把手２６が形成されている。容器体２２の内側底面には、シート磁石２９が接着等の適宜の固定手段により固定されている。このシート磁石２９には釣り針Ｆなどの磁性体製の釣用小物を保持可能である。
【００２７】
重り保持部１２は、複数（例えば７本）設けられている。各重り保持部１２は、一端が揺動軸２８に固定された棒状部材であり、容器体２１に揺動自在に支持されている。それぞれの重り保持部１２は、図５（ａ）に示す収納姿勢と図４及び図５（ｂ）に示す他端が起き上がった取出姿勢との間で揺動自在である。重り保持部１２は、図６に示すように、断面が矩形の板状の部材であり、重りＷの割溝２０によって挟まれるような厚みを有している。重り保持部１２の揺動部分には、容器体２１の内側面に向けて突出した係止突起１２ａが形成されている。係止突起１２ａに対応して容器体２１の内側面には、係止凹部２１ｂが形成されている。係止突起１２ａは、図５（ｂ）に示す取出姿勢になったときに係止凹部２１ｂに係止される位置に形成されている。この係止突起１２ａが係止凹部２１ｂに係合すると、重り保持部１２が取出姿勢に保持される。
【００２８】
保持部材１３は、フック部１３ａとフック部１３ａに係止されるフック受け部１３ｂとを有する一般的な面ファスナーで構成されている。このうち、たとえばフック部１３ａが容器体２２の連結部２３と対向する開口面に接着などの適宜の固定手段により固定され、フック受け部１３ｂが容器体２１の連結部２３と対向する開口面に接着などの適宜の固定手段により固定されている。このような保持部材１３は、両容器体２１，２２が図５（ａ）に示すように閉状態になったとき、ケース本体１１が開かないように両容器体２１，２２を固着する。
【００２９】
このよう構成された重り収納ケース１０では、釣りに出かける前にガン玉などの重りＷを重り収納ケース１０内に収納する。重りＷを収納する際には、容器体２２の把手２６をつまんで開ける。そして、重り保持部１２をひとつずつ引き出して図４に示す取出姿勢に揺動させる。取出姿勢に揺動させると係止突起１２ａと係止凹部２１ｂとの係合により取出姿勢が維持される。この状態で重りＷを割溝２０で重り保持部１２を挟むように装着し、指で重りＷを軽くつぶす。これにより，重りＷが重り保持部１２に保持される。ここで、重りＷを重り保持部１２に装着するときには、できるだけ種類の同じものを同じ重り保持部１２に装着する。これにより、取出時に所望の重りをすばやく取り出しやすくなる。
【００３０】
重りＷの装着が終了すると、取出姿勢にした重り保持部１２を収納姿勢に戻す。そして、容器体２２を容器体２１上に配置して重り収納ケース１０を閉める。容器体２２を容器体２１上に配置すると、保持部材１３により閉状態が保持される。このようにして収納された重りＷは重り保持部１２に保持されるので、バラバラになりにくい。このため、重りＷの取出が容易になる。
【００３１】
重り収納ケース１０を使用するときには、釣用ベストなどの服に重り収納ケース１０を装着する。重りＷを取り出す際には、容器体２２の把手２６を片手でつまんで開ける。そして、所望の重りを保持した重り保持部１２を片手で引き出し、図４に示す取出姿勢に揺動させる。取出姿勢に揺動させると係止突起１２ａと係止凹部２１ｂとの係合により取出姿勢が維持される。この状態で重りＷを重り保持部１２のたとえば長手方向又はそれと交差する方向に片手で引き抜く。すると重りＷは、重り保持部１２から外れる。これにより、所望の重りＷをすばやく取り出すことができる。取り出した重りＷは釣り糸に装着される。このとき、片手で重りＷの取出操作を行えるので、残った手で釣り糸をつかみながら釣り糸に重りを簡単に装着できる。重りＷの釣り糸への装着が終わると、容器体２２の把手２６をつまんで重り収納ケース１０を閉じる。すると、容器体２２の内側底面に重り保持部１２又は重り保持部１２に保持された重りＷが当接して重り保持部１２の保持状態が解除され重り保持部１２が収納姿勢側に戻る。
【００３２】
ここでも、割溝２０を有する重りＷを割溝２０で重り保持部１２を挟み込むことにより重り保持部１２に保持しているので、収納状態で重りＷがバラバラになりにくい。このため、重り収納ケース１０を開けても重りＷがこぼれることがなく、重りＷを取り出しやすい。また，複数の重り保持部１２を設けているので、複数種類の重りＷを整理して収納できる。このため、所望の重りＷをすばやく取り出しやすい。
【００３３】
〔他の実施形態〕
（ａ）前記実施形態２では、重り保持部１２を凹凸部分の係止により取出姿勢で保持するように構成したが、図７に示すように、捩じりコイルばね３１を揺動軸回りに配置し、重り保持部１２を取出姿勢側に付勢してもよい。捩じりコイルばね３１は、一端が重り保持部１２に係止され他端が容器体２１の側壁内面に係止されている。この場合には、保持部材による保持を解除して容器体２２を開けると、捩じりコイルばね３１の付勢力により全ての重り保持部１２が図７（ｂ）に示す取出姿勢になる。そして、容器体２２を閉めると、重りＷ又は重り保持部１２が容器体２２の内側底面に当接して図７（ａ）に示す収納姿勢側に押圧されその姿勢が維持される。
【００３４】
（ｂ）前記実施形態２では、重り保持部１２の一端が連結部２３と対向する側面に装着されていたが、図８に示すように、連結部２３側の側面に装着してもよい。ここでは、重り保持部１２の一端は揺動自在に装着されておらず取出姿勢で固定されている。重り保持部１２は、塩化ビニル（ＰＶＣ）のように弾性を有する丸棒状の軟質の合成樹脂製であり、たわみやすくなっている。また、保持部材１３を面ファスナーに代えて、容器体２２に一体成形されたフック３２と、フック３２に係合する段差部３３とで構成している。
【００３５】
この場合には、フック３２と段差部３３との係合を解除して容器体２２を開けると、収納姿勢にたわんでいた全ての重り保持部１２が図８（ｂ）に示すように取出姿勢に戻る。そして、容器体２２を閉めると、重りＷ又は重り保持部１２が容器体２２の内側底面に当接して押圧され図８（ａ）に示すたわんだ収納姿勢になる。そして、フック３２を段差部３３に係止すると、容器体２２が容器体２１に係止され閉状態が維持される。
【００３６】
（ｃ）前記実施形態２では、一体成形された２つの容器体２１，２２でケース本体１１を構成したが、図９に示すように、容器体４０と、容器体４０に開閉自在に装着された蓋部材４１とでケース本体１１を構成してもよい。容器体４０は、開口５０と、開口５０に連通して内部に形成された収納空間５１とを有しており、重り保持部１２の一端が揺動自在に装着されている。容器体４０の重り保持部１２装着側の外側面には、開口を有するフック５２が回動自在に装着されている。蓋部材４１は、透明樹脂製であり、容器体４０の開口５０を覆うように容器体４０のフック５２装着部分に対向する側の上面に設けられたヒンジ４２を介して開閉自在に装着されている。蓋部材４１のフック５２側部分はフック５２に係止されるように突出している。
【００３７】
重り保持部１２は、図示しない保持手段により取出姿勢のときにその姿勢を保持される。このような構成でも、前記実施形態と同様な高価が得られる。また、蓋部材４１を透明樹脂製にしたので、蓋部材４１を開けることなく内部に収納された重りＷを視認できる。
（ｄ）前記実施形態では、ケース本体を密封した形態にしたが、たとえば連結部分（ヒンジ部分）と閉保持部分を除いて開放した形態のケース本体でもよい。
【００３８】
（ｅ）前記実施形態１では、倒立Ｔ字状の重り保持部１２の対向する両辺１２ｃに重りＷを係止したが、図１０，１１に示すように、Ｔ字の中心部１２ｂに重りを係止するようにしてもよい。この場合、図１１に示すように、重り保持部１２の中心部１２ｂの根元部１２ｄを湾曲しやすくするために他の部分より低くするとよい。また、両辺１２ｃを設けずにＩ字形断面にしてもよい。
【００３９】
（ｆ）前記実施形態では、ケース本体や重り保持部は合成樹脂製であったが、ケース本体は天然又は合成皮革製や木製や金属製でもよい。また、重り保持部は木製や金属製でもよい。
【００４０】
【発明の効果】
本発明によれば、重りを取り出すときに重り保持部を収納姿勢から取出姿勢にできるので、収納した重りを取り出しやすくなる。また、割溝を利用して重り保持部に重りが確実に保持されるので、ケース本体をあけても収納した重りがこぼれることがなく重りをさらに取り出すしやすい。しかも、重り保持部を複数設ければ、同じ種類の重りを同じ重り保持部に保持させることができ、所望の重りをすばやく取り出しやすい。このため、重りの取出操作を行いやすくなる。
【図面の簡単な説明】
【図１】本発明の一実施形態による重り収納ケースの平面図。
【図２】その開状態と閉状態での縦断面図。
【図３】重りの装着状態を示す模式図。
【図４】本発明の実施形態２による重り収納ケースの斜視図。
【図５】実施形態２の図２に相当する図。
【図６】実施形態２の図３に相当する図。
【図７】他の実施形態の図２に相当する図。
【図８】他の実施形態の図２に相当する図。
【図９】他の実施形態の図２に相当する図。
【図１０】他の実施形態の図３に相当する図。
【図１１】他の実施形態の重り保持部の側面図。
【符号の説明】
１０  重り収納ケース
１１  ケース本体
１２  重り保持部
１３  保持部材
２１，２２，４０  容器体
３１  捩じりコイルばね
３２  フック
３３  段差部
４１  蓋部材
Ｗ  重り
【図１】
0004173259.tif 000002
【図２】
0004173259.tif 000003
【図３】
0004173259.tif 000004
【図４】
0004173259.tif 000005
【図５】
0004173259.tif 000006
【図６】
0004173259.tif 000007
【図７】
0004173259.tif 000008
【図８】
0004173259.tif 000009
【図９】
0004173259.tif 000010
【図１０】
0004173259.tif 000011
【図１１】
0004173259.tif 000012